(57)【要約】      （修正有）【課題】ユーザーの使用シーンやニーズに応じて必要な機能を自由に付加することができる構造により、多くの機能を安価に実現する指示装置を提供する。【解決手段】電力を提供するための電源供給モジュール、レーザー光を発するレーザーモジュール１１及び機能拡張モジュール１３からなり、そのうちレーザーモジュール１１、電源供給モジュール１２及び機能拡張モジュール１３は互いの間で自由自在に取り外しや組合せが可能で、これによって電源供給モジュール１２の電力は直接又は間接的にレーザーモジュール１１と機能拡張モジュール１３に伝送され、レーザーモジュール１１と機能拡張モジュール１３が電力を受信して機能を発揮し始めることから、ユーザーは本体のニーズに応じてさらに複数の機能拡張モジュール１３を指示装置に組合せて、指示装置に規定外の使用機能を拡充させることができる。【選択図】図１Ａ
0003151725.tif 000002
【実用新案登録請求の範囲】
【請求項１】
拡張機能を備えた指示装置であって、
電源供給モジュールと、
前記電源供給モジュールに電気的に接続するレーザーモジュールと、
前記電源供給モジュールと前記レーザーモジュールのうちの一方を選択して電気的に接続する機能拡張モジュールと、
からなり、前記レーザーモジュールと前記機能拡張モジュールが前記電源供給モジュールの提供する電力によって機能を実行することを特徴とする拡張機能を具えた指示装置。
【請求項２】
拡張機能を備えた指示装置であって、
電源供給モジュールと、
前記電源供給モジュールに直接的又は間接的に電気的に接続するレーザーモジュールと、
前記電源供給モジュールと前記レーザーモジュールのうちの一方を選択して接続する機能拡張モジュールと、
からなり、前記レーザーモジュールが、前記電源供給モジュールの提供する電力によって機能を実行することを特徴とする拡張機能を具えた指示装置。
【請求項３】
前記機能拡張モジュールはねじ込み式、ロック式、嵌め込み式又はスライド式で前記電源供給モジュールと前記レーザーモジュールのうちの一方に電気的に接続することを特徴とする請求項１に記載する拡張機能を具えた指示装置。
【請求項４】
前記電源供給モジュールは直流電力モジュール（ＤＣ  Ｐｏｗｅｒ）、バッテリー、家庭用電力ソースモジュール、太陽電池、乾電池、水銀電池、バッテリーパッケージ、ＵＳＢ電源又は手動発電を選択する事が出来る電源供給モジュールであることを特徴とする請求項１又は請求項２に記載する拡張機能を備えた指示装置。
【請求項５】
前記機能拡張モジュールは無線交信モジュール、光源モジュール、メモリモジュール又は電源モジュールであることを特徴とする請求項１に記載する拡張機能を備えた指示装置。
【請求項６】
前記機能拡張モジュールは無線交信モジュール、光源モジュール、メモリモジュール、電源モジュール、ボールペン（Ｂａｌｌ  Ｐｏｉｎｔ  Ｐｅｎ）、指示棒（Ｆｅｓｃｕｅ）又は磁石（Ｍａｇｎｅｔ）であることを特徴とする請求項２に記載する拡張機能を備えた指示装置。
【請求項７】
前記レーザーモジュールは光源ヘッドを具備し、前記光源ヘッドはレーザー光照射方式を変更するためのもので、前記レーザーモジュールの一端に取り付けることを特徴とする請求項１又は請求項２に記載する拡張機能を備えた指示装置。
【考案の詳細な説明】
【技術分野】
【０００１】
本考案は指示ツールに関し、ユーザーの使用シーンやニーズに応じて自由に機能を拡張することができる指示装置である。
【背景技術】
【０００２】
現在簡単なプレゼンテーションによく使用されるレーザーポインタは何れもレーザー光線による指示機能しかなく、携帯には便利であるものの、ユーザーがその時の状況に応じて他の機能を使用したい場合（例：無線交信によるコンピュータ制御、その他の情報処理装置や光線照明等の機能等）、別途関連機能を提供できるツールを携帯する必要があり、ユーザーはレーザーポインタの他に、各種ツールも携帯せねばならず、不便である。
【０００３】
そこで、本考案人は上記の欠点を改善する為に、合理的設計で上記の欠点を効果的に改善できる本考案を提案するものである。
【考案の概要】
【考案が解決しようとする課題】
【０００４】
本考案の目的はユーザーの使用シーンやニーズに応じて必要な機能を自由に付加することができる構造により、多くの機能を安価に提供する。
【０００５】
本考案の別の目的は、取り外し可能な構造により、ユーザーの使用シーンやニーズに応じて、必要最低限の機能への絞り込みを提供する。
【課題を解決するための手段】
【０００６】
上記の目的に基づき、本考案は拡張機能を備えた指示装置を提案し、それは電源供給モジュールと、前記電源供給モジュールに電気的に接続するレーザーモジュールと、前記電源供給モジュールと前記レーザーモジュールのうちの一方を選択して電気的に接続する機能拡張モジュールとからなり、前記電源供給モジュールと前記機能拡張モジュールが前記電源供給モジュールの提供する電力により機能を実行する。
【考案の効果】
【０００７】
よって、本考案の拡張機能を備えた指示装置は以下の有益な効果を有する。本考案の拡張機能を備えた指示装置は従来のレーザー光指示機能のみならず、組合せの概念設計でもって前記機能拡張モジュール（例：無線交信モジュールや光源モジュール）と自由に組み合わせて、ユーザーの使用ニーズを満たす。
【０００８】
本考案の拡張機能を備えた指示装置を使用すると、指示装置１は従来のレーザー光指示機能だけでなく、ユーザーの使用ニーズに応じてその他よく用いられる便利なツール（例：無線交信モジュールや光源モジュール）をそれに組合せて、マルチ機能を提供することができ、ユーザーが別途こうしたツールを携帯する必要が無く非常に便利である。
【０００９】
本考案の拡張機能を備えた指示装置を使用すると、ユーザーは本体の使用ニーズに応じて前記機能拡張モジュール１３を組合せて増設できることで、前記指示装置１の規定外機能を付加して、前記指示装置１にレーザー光指示機能だけでなく、同時に多くの機能を持たせて実用目的を達する。
【００１０】
本考案が所定の目的を達するために採用した技術、方法及び効果を一層理解できるよう、以下に本考案に関する詳細説明と添付図面を参照することで、本考案の目的、特徴がこれによって深く具体的に理解されると信じる。然しながら、添付図面は参考と説明用に供したに過ぎず、本考案に制限を課すものではない。
【図面の簡単な説明】
【００１１】
【図１Ａ】本考案の拡張機能を備えた指示装置のシステム構造の概略図である。
【図１Ｂ】本考案の拡張機能を備えた指示装置の各モジュールの接続方法の概略図である。
【図２】本考案の拡張機能を備えた指示装置の別の実施例におけるシステム構造の概略図である。
【図３Ａ】本考案の拡張機能を備えた指示装置の各モジュールの組合せの概略図である。
【図３Ｂ】本考案の拡張機能を備えた指示装置の別の実施例における各モジュールの組合せの概略図である。
【図４Ａ】本考案の拡張機能を備えた指示装置の使用状態の概略図である。
【図４Ｂ】本考案の拡張機能を備えた指示装置の別の使用状態の概略図である。
【図４Ｃ】本考案の拡張機能を備えた指示装置の別の使用状態の概略図である。
【考案を実施するための形態】
【実施例】
【００１２】
図１Ａにより、本考案は拡張機能を備えた指示装置を提案し、前記指示装置１はレーザーモジュール１１、電源供給モジュール１２と少なくとも１つの機能拡張モジュール１３からなり、前記レーザーモジュール１１はレーザー光（図示せず）を発するためのもので、ユーザーは前記レーザーモジュール１１が発するレーザー光（図示せず）によって指示をガイドする。前記電源供給モジュール１２は、電力を前記レーザーモジュール１１又は前記機能拡張モジュール１３に提供するためのものである。前記機能拡張モジュール１３は前記レーザーモジュール１１又は前記電源供給モジュール１２に接続しているため、前記機能拡張モジュール１３が電力を受信すると、その電力に駆動されて機能を発揮し始める。前記機能拡張モジュール１３が発揮する機能は無線交信機能、照明機能でもよいが、上記２種の機能に限定されず、ユーザーの使用ニーズに応じて選択する旨ここで強調しておかねばらなない。例えば、前記機能拡張モジュール１３はメモリへのデータ保存機能を有するメモリモジュール、電力を提供するための電源モジュール、書写機能を提供するためのボールペン、指示棒又は磁石を選択することができる。
【００１３】
図１Ｂによれば、前記レーザーモジュール１１は前記電源供給モジュール１２に取り外し可能に組合せることができ、且つ前記レーザーモジュール１１と前記電源供給モジュール１２は互いに電気的に接続する。さらに具体的に述べると、前記レーザーモジュール１１はスライド式接続（図２）又は嵌め込み式接続（図１Ａ、図１Ｂ）で組合せて、前記電源供給モジュール１２に電気的に接続することで、ユーザーが前記レーザーモジュール１１と前記電源供給モジュール１２を取り外して分離し易くする。また、前記電源供給モジュール１２は前記レーザーモジュール１１に電力を提供し、電力を受信したレーザーモジュール１１は駆動を開始して、指示用のレーザー光（図示せず）を発する。前記電源供給モジュール１２は直流電力モジュール（ＤＣ  Ｐｏｗｅｒ）、バッテリー、家庭用電力ソースモジュール、太陽電池、乾電池、水銀電池、バッテリーパッケージ、ＵＳＢ電源、又は手動発電による電池を選択して使用することができるが、基本的には、前記電源供給モジュール１２は上記の電池の形式に縛られずに、電力が供給可能な装置又は部材でありさえすれば、何れも本考案の指示装置１の電源供給モジュール１２となる。また、スライド式接続又は嵌め込み式接続のほかに、前記レーザーモジュール１１はねじ込み式又はロック式で前記電源供給モジュール１２に取り外し可能に電気的に接続することができることは特筆すべきである。
【００１４】
このほか、前記レーザーモジュール１１が発するレーザー光の方式を変更するため、前記レーザーモジュール１１はさらに光源ヘッド１１１を具備することができ、前記光源ヘッド１１１は前記レーザーモジュール１１の一端に取り外し可能に取り付けることができる。前記光源ヘッド１１１はレーザー光照射方式を変更するためのもので、従ってレーザーモジュール１１が発するレーザー光は前記光源ヘッド１１１を通してポイント式のレーザー光、ライン式のレーザー光又は面式のレーザー光を形成する。これによって、ユーザーは指示のニーズに応じて適当な方式でのレーザー光を選択することができる。
【００１５】
前記機能拡張モジュール１３は前記レーザーモジュール１１に取り外し可能に電気的に接続することができ、また前記電源供給モジュール１２に取り外し可能に電気的に接続することもできる。上記電気的に接続する方法はスライド式接続又は嵌め込み式接続（図１Ａ、図１Ｂ、図２）で組合せて、前記レーザーモジュール１１又は前記電源供給モジュール１２に組合せ接続してユーザーが取り外して分離し易くする。また、スライド式接続又は嵌め込み式接続のほかに、前記機能拡充モジュール１３はねじ込み式又はロック式で前記電源供給モジュール１２に取り外し可能に電気的に接続することもできる。
【００１６】
さらに具体的に述べると、前記機能拡張モジュール１３はその組合せ位置を限定せず、換言すると、前記機能拡張モジュール１３は前記レーザーモジュール１１（図１Ａ又は図２）又は前記電源供給モジュール１２（図３Ａ又は図３Ｂ）に自由自在に組合せることができる。例えば、前記機能拡張モジュール１３を前記レーザーモジュール１１に組合せると、前記電源供給モジュール１２が提供する電力は前記レーザーモジュール１１を通して前記機能拡張モジュール１３に間接的に伝送されて、前記機能拡張モジュール１３を駆動して機能を発揮させる。また、前記機能拡張モジュール１３を前記電源供給モジュール１２に組合せると、前記電源供給モジュール１２が提供する電力は前記機能拡張モジュール１３に直接伝送されて、前記機能拡張モジュール１３を駆動して機能を発揮させる。
【００１７】
故に、上記の説明により、前記レーザーモジュール１１、前記電源供給モジュール１２及び前記機能拡張モジュール１３の間は、積み木の組合せのように（図４Ａ、図４Ｂ又は図４Ｃ）、ユーザーの使用ニーズに応じて自由に取り外して組立てられるので、前記レーザーモジュール１１、前記電源供給モジュール１２及び前記機能拡張モジュール１３の間は、互いに直列、並列の組合せができる。こうしてユーザーが別の機能拡張モジュール１３を前記指示装置１に増設して組合せさえすれば、前記指示装置１は新たな機能が加わり、従って、前記指示装置１に組合せる機能拡張モジュール１３の数には制限が無く、その数は１つ、２つ、３つ、４つ又は複数個であってもよいが、本実施例では機能拡充モジュール１３の数は２つである（図１Ａ）。
【００１８】
前記機能拡張モジュール１３が発揮する機能はユーザーのニーズに応じて選択するため、前記機能拡張モジュール１３の種類は限定されないことは特筆すべきである。例えば、前記機能拡張モジュール１３は無線交信モジュールを選択してもよく、これによって前記指示装置１はレーザー光（前記レーザーモジュール１１から発する）を提供できるほかに、無線交信機能をも有することによって、ユーザーが会議進行の際に無線交信でコンピュータを制御するのに便利となる。また、前記機能拡張モジュール１３は光源モジュールを選択し、さらに述べると、前記光源モジュールは懐中電灯や発光ダイオード（Ｌｉｇｈｔ  Ｅｍｉｔｔｉｎｇ  Ｄｉｏｄｅ，  ＬＥＤ）モジュールであって、これによって前記指示装置１はレーザー光の指示機能を有することができるほかに、前記光源モジュールが発揮する機能で暗闇の中でも照明をすることもできる。
【００１９】
上記に述べたことによって、前記指示装置１に前記２つの機能拡張モジュール１３を組合せると、即ち前記指示装置１に前記無線交信モジュールと前記光源モジュールを同時に組合せると、同時に３種類の異なる機能（レーザー光の指示機能、無線交信機能、照明機能）を有することができて、よってユーザーは本体の使用ニーズに応じて各種異なる機能の機能拡張モジュール１３を前記指示装置１に組合せさえすれば、前記指示装置１にマルチ機能を提供することができる。
【００２０】
上記に開示した図面や説明は本考案の実施例に過ぎず、当業者は上記の説明にもとづいてその他各種改良を行うことができるが、こうした変更はなおも本考案の創作精神並びに本実用新案登録請求の範囲に属するものとする。
【符号の説明】
【００２１】
１      指示装置
１１    レーザーモジュール
１１１  光源ヘッド
１２    電源供給モジュール
１３    機能拡張モジュール
【図１Ａ】
0003151725.tif 000003
【図１Ｂ】
0003151725.tif 000004
【図２】
0003151725.tif 000005
【図３Ａ】
0003151725.tif 000006
【図３Ｂ】
0003151725.tif 000007
【図４Ａ】
0003151725.tif 000008
【図４Ｂ】
0003151725.tif 000009
【図４Ｃ】
0003151725.tif 000010